(57)【特許請求の範囲】
【請求項１】
複数の歯科用のＸ線撮影装置の制御を行う制御装置であって、
制御対象となる前記Ｘ線撮影装置を、口内法Ｘ線撮影装置、及び口内法Ｘ線撮影装置と種類の異なる歯科用異種Ｘ線撮影装置とし、
前記Ｘ線撮影装置に関する情報を表示する情報表示部、前記Ｘ線撮影装置におけるＸ線撮影に関する設定条件を設定操作する設定操作部、機能させる前記Ｘ線撮影装置の選択を切り替えるＸ線撮影切替部、前記Ｘ線撮影装置のＸ線照射を操作する照射スイッチ、及び制御装置本体を備え、
前記制御装置本体内部に、前記口内法Ｘ線撮影装置用の電気回路と、前記歯科用異種Ｘ線撮影装置用の電気回路とが、互いに絶縁された状態で配置され、
前記Ｘ線撮影切替部により前記口内法Ｘ線撮影装置に切り替えられた状態における前記口内法Ｘ線撮影装置のＸ線照射操作と、前記歯科用異種Ｘ線撮影装置に切り替えられた状態における前記歯科用異種Ｘ線撮影装置のＸ線照射操作とを、前記照射スイッチを共通に用いて行う構成とするとともに、
前記制御装置本体が、
前記歯科用異種Ｘ線撮影装置に切り替えられた状態において、前記照射スイッチの第１操作を撮影準備処理操作として受付けるとともに、前記第１操作で撮影準備ができた状態で前記照射スイッチの第２操作を前記Ｘ線照射操作として受付け、
前記口内法Ｘ線撮影装置に切り替えられた状態において、前記照射スイッチの第１操作を前記Ｘ線照射操作として受付けるように構成した
制御装置。
【請求項２】
前記歯科用異種Ｘ線撮影装置を、
パノラマＸ線撮影装置、Ｘ線ＣＴ撮影装置、セファロＸ線撮影装置、断層撮影装置、及びこれらの機能を組み合わせた複合Ｘ線撮影装置のいずれかとした
請求項１に記載の制御装置。
【請求項３】
前記照射スイッチを、デッドマンスイッチで構成した
請求項１又は２に記載の制御装置。
【請求項４】
前記情報表示部、前記設定操作部、及び前記Ｘ線撮影切替部をひとつの制御装置ハウジングに収容した
請求項１乃至３のうちいずれかひとつに記載の制御装置。
【請求項５】
前記情報表示部を、
前記Ｘ線撮影切替部によって前記口内法Ｘ線撮影装置に切り替えられた状態において、前記口内法Ｘ線撮影装置に関する情報を表示し、前記歯科用異種Ｘ線撮影装置に切り替えられた状態において、前記歯科用異種Ｘ線撮影装置に関する情報を表示する構成とした
請求項１乃至４のうちいずれかひとつに記載の制御装置。
【請求項６】
前記情報表示部に、前記口内法Ｘ線撮影装置または前記歯科用異種Ｘ線撮影装置で照射するＸ線または照射したＸ線の照射線量を表示する
請求項５に記載の制御装置。
【請求項７】
前記Ｘ線撮影切替部の切り替え操作により、
前記口内法Ｘ線撮影装置と前記歯科用異種Ｘ線撮影装置との選択を切り替えるとともに、前記Ｘ線撮影切替部の点灯と消灯と切り替えて、選択されたＸ線撮影装置を表示する
請求項１乃至６のうちいずれかひとつに記載の制御装置。
【請求項８】
請求項１乃至７のうちいずれかに記載の制御装置を備えた
Ｘ線撮影装置。
【発明の詳細な説明】
【技術分野】
【０００１】
本発明は、例えば、歯科診療において口腔内を撮影するための口内法Ｘ線撮影装置等のＸ線撮影装置を制御する制御装置、及び当該制御装置を備えたＸ線撮影装置に関する。
【背景技術】
【０００２】
歯科診療において、口腔内をＸ線で撮影した画像を確認し、疾患の程度や、治療の結果を判断することが重要である。例えば、そのためのＸ線撮影装置として、パノラマＸ線撮影装置、Ｘ線ＣＴ撮影装置、セファロＸ線撮影装置、断層撮影装置、あるいはデンタルＸ線撮影装置といわれる口内法Ｘ線撮影装置等がある。  
なお、上述の診療は、診断、診察及び治療を含む概念である。
【０００３】
これらのＸ線撮影装置のうち口内法Ｘ線撮影装置は、口腔内にデンタルＸ線フィルム等のＸ線検出器を挿入し、Ｘ線発生装置を患部に対して位置調整する。そして、Ｘ線発生装置からＸ線を照射し、口腔内に挿入したＸ線検出器で撮影する。
【０００４】
これらのＸ線撮影装置は、撮影範囲や撮影方法が異なり、診療に応じたＸ線撮影装置を用いるため、特許文献１に記載されているように、口内法Ｘ線撮影装置と、その他のＸ線撮影装置を並設する医療機関が増えている。
【０００５】
しかし、Ｘ線照射量を厳しく管理する必要のあるＸ線撮影装置には、安全に使用するための様々な規制があり、それらの規制を満足するための制御装置や設備が必要であり、例えば、Ｘ線撮影装置は照射するＸ線の漏出を防止するＸ線室内に配置し、Ｘ線撮影装置を制御する制御装置を室外に配置する必要があった。
【０００６】
特許文献１では、Ｘ線室内に配置された口内法Ｘ線撮影装置及びその他のＸ線撮影装置のそれぞれを操作するフートペダル式の操作スイッチ等の制御装置をそれぞれ備えている。
【０００７】
これにより、確実に、Ｘ線室内に配置したＸ線撮影装置で撮影することができるとされている。しかし、上述したように、口内法Ｘ線撮影装置及びその他のＸ線撮影装置は、同じＸ線室内に配置しているにもかかわらず、それぞれを操作する制御装置を別々に備えており、Ｘ線室の周辺が煩雑になるとともに、例えば、２つある制御装置を取り間違え、誤操作する惧れもあった。
【先行技術文献】
【特許文献】
【０００８】
【特許文献１】実用新案登録第３０２３７００号公報
【発明の概要】
【発明が解決しようとする課題】
【０００９】
この発明は、併設する口内法Ｘ線撮影装置とその他のＸ線撮影装置とのうち、選択したＸ線撮影装置に対するＸ線照射操作を、共通する操作スイッチで確実に行うことのできる制御装置を提供することを目的とする。
【課題を解決するための手段】
【００１０】
この発明は、複数の歯科用のＸ線撮影装置の制御を行う制御装置であって、制御対象となる前記Ｘ線撮影装置を、口内法Ｘ線撮影装置、及び口内法Ｘ線撮影装置と種類の異なる歯科用異種Ｘ線撮影装置とし、前記Ｘ線撮影装置に関する情報を表示する情報表示部、前記Ｘ線撮影装置におけるＸ線撮影に関する設定条件を設定操作する設定操作部、機能させる前記Ｘ線撮影装置の選択を切り替えるＸ線撮影切替部、前記Ｘ線撮影装置のＸ線照射を操作する照射スイッチ、及び制御装置本体を備え、前記制御装置本体内部に、前記口内法Ｘ線撮影装置用の電気回路と、前記歯科用異種Ｘ線撮影装置用の電気回路とが、互いに絶縁された状態で配置され、前記Ｘ線撮影切替部により前記口内法Ｘ線撮影装置に切り替えられた状態における前記口内法Ｘ線撮影装置のＸ線照射操作と、前記歯科用異種Ｘ線撮影装置に切り替えられた状態における前記歯科用異種Ｘ線撮影装置のＸ線照射操作とを、前記照射スイッチを共通に用いて行う構成とするとともに、前記制御装置本体が、前記歯科用異種Ｘ線撮影装置に切り替えられた状態において、前記照射スイッチの第１操作を撮影準備処理操作として受付けるとともに、前記第１操作で撮影準備ができた状態で前記照射スイッチの第２操作を前記Ｘ線照射操作として受付け、前記口内法Ｘ線撮影装置に切り替えられた状態において、前記照射スイッチの第１操作を前記Ｘ線照射操作として受付けるように構成したことを特徴とする。
【００１１】
上述の制御対象となる口内法Ｘ線撮影装置、及び歯科用異種Ｘ線撮影装置は、例えば、口内法Ｘ線撮影装置とパノラマＸ線撮影装置等の２種類のＸ線撮影装置を制御対象とする場合のみならず、例えば、口内法Ｘ線撮影装置とパノラマＸ線撮影装置に加えてＸ線ＣＴ撮影装置等の３種類以上のＸ線撮影装置を制御対象とすることができる。
【００１２】
また、上述の情報表示部、あるいは設定操作部は、口内法Ｘ線撮影装置、及び歯科用異種Ｘ線撮影装置のうちいずれか一方のＸ線撮影装置についての情報表示部や設定操作部、あるいは全てのＸ線撮影装置に対応するが、Ｘ線撮影切替部で選択されたＸ線撮影装置についての情報表示部や設定操作部とすることができる。
【００１３】
この発明により、併設する口内法Ｘ線撮影装置とその他のＸ線撮影装置とのうち、選択したＸ線撮影装置に対するＸ線照射操作を、共通する操作スイッチで確実に行うことができる。
【００１４】
詳しくは、制御対象を口内法Ｘ線撮影装置、及び口内法Ｘ線撮影装置と種類の異なる歯科用異種Ｘ線撮影装置とするとともに、情報表示部でＸ線撮影装置に関する情報を表示し、設定操作部で前記Ｘ線撮影装置におけるＸ線撮影に関する設定条件を設定操作することができる。
【００１５】
また、Ｘ線撮影切替部で機能させる前記Ｘ線撮影装置の選択を切り替えるとともに、前記照射スイッチのスイッチ操作によって、前記Ｘ線撮影切替部により切り替えられて機能するＸ線撮影装置のＸ線照射操作を、前記照射スイッチを共通に用いて行うことができる。つまり、照射スイッチは、口内法Ｘ線撮影装置と歯科用異種Ｘ線撮影装置の両方の照射スイッチとして機能し、Ｘ線撮影切替部の切り替えによって、所望のＸ線撮影装置のＸ線照射操作を択一的に行うことができる。したがって、照射スイッチの数を制御対象であるＸ線撮影装置の数よりも少なく構成することができる。よって、部品点数を低減でき、コスト増加を抑制することができる。
【００１６】
また、前記制御装置本体内部に、前記口内法Ｘ線撮影装置用の電気回路と、前記歯科用異種Ｘ線撮影装置用の電気回路とが、互いに絶縁された状態で配置されているため、ショート等の電気回路的不具合により、選択されていないＸ線撮影装置が誤作動することを防止できる。詳しくは、Ｘ線撮影切替部で選択することによって機能するＸ線撮影装置を切替えているが、口内法Ｘ線撮影装置とその他のＸ線撮影装置とのＸ線照射操作において照射スイッチを共用している。しかし、制御装置におけるショート等の電気回路的不具合が生じた場合においても、口内法Ｘ線撮影用の電気回路、及び前記歯科用異種Ｘ線撮影装置用の電気回路を絶縁しているため、選択されたＸ線撮影装置に対するＸ線照射操作によって、他方のＸ線撮影装置が意図せず、Ｘ線照射することを確実に防止できる。
【００１７】
この発明の態様として、前記歯科用異種Ｘ線撮影装置を、パノラマＸ線撮影装置、Ｘ線ＣＴ撮影装置、セファロＸ線撮影装置、断層撮影装置、及びこれらの機能を組み合わせた複合Ｘ線撮影装置のいずれかとすることができる。
【００１８】
この発明により、パノラマＸ線撮影装置、Ｘ線ＣＴ撮影装置、セファロＸ線撮影装置、断層撮影装置、及びこれらの機能を組み合わせた複合Ｘ線撮影装置と、口内法Ｘ線撮影装置とを併設させ、Ｘ線撮影切替部の切り替えによって、例えば診療内容に応じて所望のＸ線撮影装置のＸ線照射操作を択一的に行うことができる。
【００１９】
またこの発明の態様として、前記照射スイッチを、デッドマンスイッチで構成することができる。  
上記デッドマンスイッチは、例えば、押下式のボタンスイッチであり、ボタンを押下した状態においてＯＮとなり、離すとＯＦＦになるスイッチである。  
この発明により、不用意にＸ線が照射されず、確実にＸ線照射を制御することができる。
【００２０】
またこの発明の態様として、前記情報表示部、前記設定操作部、及び前記Ｘ線撮影切替部をひとつの制御装置ハウジングに収容することができる。  
この発明により、複数の制御装置ハウジングに、前記情報表示部、前記設定操作部、及び前記Ｘ線撮影切替部が配置された制御装置と比べ、操作性が向上する。
【００２１】
またこの発明の態様として、前記情報表示部を、前記Ｘ線撮影切替部によって前記口内法Ｘ線撮影装置に切り替えられた状態において、前記口内法Ｘ線撮影装置に関する情報を表示し、前記歯科用異種Ｘ線撮影装置に切り替えられた状態において、前記歯科用異種Ｘ線撮影装置に関する情報を表示する構成とすることができる。
【００２２】
上述の口内法Ｘ線撮影装置に関する情報や、歯科用異種Ｘ線撮影装置に関する情報は、各Ｘ線撮影装置において設定する管電圧や管電流、Ｘ線照射後の照射時間やＸ線照射量であるグレイ値、あるいは各Ｘ線撮影装置における状態情報とすることができる。
【００２３】
この発明により、Ｘ線撮影切替部で選択したＸ線撮影装置に関する情報を直接、情報表示部で表示させて確認することができる。したがって、より、安全且つ確実に、選択したＸ線撮影装置で患部をＸ線撮影することができる。
【００２４】
またこの発明の態様として、前記情報表示部に、前記口内法Ｘ線撮影装置または前記歯科用異種Ｘ線撮影装置で照射するＸ線または照射したＸ線の照射線量を表示することができる。  
この発明により、Ｘ線撮影の間、前または後に、患者のＸ線被曝線量を確認することができる。したがって、適切なＸ線の照射量を確認しつつ、確認した上で、または事後に確認でき、Ｘ線撮影装置で安心してＸ線撮影することができる。
【００２５】
またこの発明の態様として、前記Ｘ線撮影切替部の切り替え操作により、前記口内法Ｘ線撮影装置と前記歯科用異種Ｘ線撮影装置との選択を切り替えるとともに、前記Ｘ線撮影切替部の点灯と消灯と切り替えて、選択されたＸ線撮影装置を表示することができる。
【００２６】
この発明により、Ｘ線撮影切替部の点灯状況を確認することで、所望するＸ線撮影装置を確実に選択することができる。例えば、Ｘ線撮影切替部が点灯している場合は歯科用異種Ｘ線撮影装置を選択し、消灯している場合は口内法Ｘ線撮影装置を選択していると設定し、歯科用異種Ｘ線撮影装置を選択する場合において、Ｘ線撮影切替部が点灯していれば既に歯科用異種Ｘ線撮影装置が選択されている。
【００２７】
逆に、Ｘ線撮影切替部が消灯していれば、Ｘ線撮影切替部を操作して点灯させることで歯科用異種Ｘ線撮影装置を選択することができる。このように、Ｘ線撮影装置を選択操作するＸ線撮影切替部自体が点灯と消灯とを切替えるため、間違って他方のＸ線撮影装置を選択することを防止できる。
【００２８】
なお、Ｘ線撮影切替部の点灯によって選択されるＸ線撮影装置をイメージする図柄（アイコン）をＸ線撮影切替部に表示し、選択されたことによる点灯に伴ってその図柄（アイコン）が明示できれば、誤操作をより確実に防止することができる。
【００２９】
またこの発明は、上述の制御装置を備えたＸ線撮影装置であることを特徴とする。  
この発明により、口内法Ｘ線撮影装置とその他のＸ線撮影装置とを併設する場合であっても、共通する操作スイッチで、選択したＸ線撮影装置に対するＸ線照射操作を確実に行うことができ、利便性が向上する。
【発明の効果】
【００３０】
この発明により、併設する口内法Ｘ線撮影装置とその他のＸ線撮影装置とのうち、選択したＸ線撮影装置に対するＸ線照射操作を、共通する操作スイッチで確実に行う制御装置を提供することができる。
【図面の簡単な説明】
【００３１】
【図１】口内法Ｘ線撮影装置とパノラマＸ線撮影装置とを併設した場合の概略配置図。
【図２】口内法Ｘ線撮影装置の斜視図。
【図３】パノラマＸ線撮影装置の斜視図。
【図４】コントローラについての説明図。
【図５】別の表示態様のコントローラについての説明図。
【図６】口内法Ｘ線撮影装置とパノラマＸ線撮影装置との回路構成図。
【図７】口内法／パノラマ切替回路による回路の切替構成例の説明図。
【発明を実施するための形態】
【００３２】
この発明の一実施形態を以下図面と共に説明する。  
図１は口内法Ｘ線撮影装置１とパノラマＸ線撮影装置２とを併設した場合の概略配置図を示し、図２は口内法Ｘ線撮影装置１の斜視図を示し、図３はパノラマＸ線撮影装置２の斜視図を示している。
【００３３】
また、図４，５は口内法Ｘ線撮影装置１、パノラマＸ線撮影装置２に備えるコントローラ３０についての説明図を示し、図６は口内法Ｘ線撮影装置１とパノラマＸ線撮影装置２との回路構成図を示している。なお、図５は、図４とは異なる表示態様のコントローラ３０について図示している。
【００３４】
図１に示すように、口内法Ｘ線撮影装置１及び口内法Ｘ線撮影装置１と種類の異なる歯科用異種Ｘ線撮影装置に対応するパノラマＸ線撮影装置２は、Ｘ線室（防Ｘ線室）１００内に配置される。
なお、本願実施例では、口内法Ｘ線撮影装置１と歯科用異種Ｘ線撮影装置は撮影方法の種類が異なる。また、Ｘ線室１００内は、患者等の出入りを許容する開閉扉１０１を有し、開閉扉１０１が閉じられた状態では、照射するＸ線が外部に漏出しない構造である。
【００３５】
デンタルＸ線撮影装置といわれる口内法Ｘ線撮影装置１は、図２に示すように、例えば、床面に載置される基台１２と、基台１２の上面１２ａに配置され、被写体となる患者が着座するシート１３と、基台１２の上面１２ａに植設され、支柱として機能するスタンドポール１４と、スタンドポール１４の上端に回動可能に接続されたアーム１５と、アーム１５の先端において後述するＸ線ヘッド１１を吊り下げ支持するヘッドサポート１６と、ヘッドサポート１６に対して回動可能に接続されたＸ線ヘッド１１と、スタンドポール１４のシート１３側に固定されたバックレスト１７と、スタンドポール１４におけるシート１３と反対側に固定されたインバータボックス１８とで構成している。
【００３６】
シート１３は、平面視円形の座面クッション部１３ａを、基台１２に対して高さ調整可能に構成している。スタンドポール１４は四角柱状であり、シート１３の座面クッション部１３ａに着座した普通人の頭部より高くなる高さで形成している。したがって、スタンドポール１４のシート１３側に固定されたバックレスト１７は、シート１３に着座した患者の背もたれとして機能する。なお、シート１３とバックレスト１７は患者の腰や背中を支持する被写体支持手段の構成例であるが、他に、背もたれと座部を一体にした椅子を用いてもよい。
【００３７】
アーム１５は、スタンドポール１４の上端部１４ａに対して、鉛直方向の回動軸を中心として回動する水平方向の第１アーム１５ａと、第１アーム１５ａの先端部１５ａａに対して、鉛直方向の回動軸を中心として回動する斜め下向きの第２アーム１５ｂとで構成している。
【００３８】
ヘッドサポート１６は、第２アーム１５ｂの先端部１５ｂａに対して、鉛直方向の回動軸を中心として回動する下向き逆Ｌ字型に形成し、下端部１６ａでＸ線発生器からなるＸ線ヘッド１１の側面１１ｂに対して水平方向の回動軸１６ａｘを中心として回転支持する構成であり、Ｘ線ヘッド１１が回動軸１６ａｘを中心に回動し、Ｘ線ヘッド１１の前面１１ａに装着される照射筒１９が上下方向に揺動可能である。なお、アーム１５とヘッドサポート１６は、Ｘ線発生装置であるＸ線ヘッド１１を支持するＸ線発生装置支持手段の構成例である。
【００３９】
なお、スタンドポール１４において、シート１３と反対側に固定されたインバータボックス１８の内部には、Ｘ線ヘッド１１から照射するＸ線を照射制御する主制御部１ａ（図６）を内蔵している。
【００４０】
このように構成された口内法Ｘ線撮影装置１では、Ｘ線ヘッド１１からＸ線を照射し、患者の口腔内にセットしたＣＣＤセンサやＭＯＳセンサ、ＣＭＯＳセンサ、その他の固体撮像素子やイメージングプレートを用いたＸ線撮像手段やＸ線フィルム等のＸ線検出器（図示省略）で患部のＸ線写真を撮影することができる。
【００４１】
また、その撮影のため、Ｘ線ヘッド１１は、アーム１５及びヘッドサポート１６により、シート１３に着座した患者の患部に対して、水平方向に移動可能であるとともに向きを調整することができる。
【００４２】
また、ヘッドサポート１６は、第２アーム１５ｂの先端部１５ｂａに対して、鉛直方向の回動軸を中心として回動するとともに、ヘッドサポート１６の下端部１６ａでＸ線ヘッド１１の側面１１ｂに対して水平方向の回動軸１６ａｘを中心として上下方向に回転支持することができる。したがって、アーム１５やヘッドサポート１６によって、Ｘ線ヘッド１１の位置や向きを調整することができる。
【００４３】
なお、上述の口内法Ｘ線撮影装置１では、スタンドポール１４を基台１２に立設し、基台１２に患者が着座するシート１３を備えたが、スタンドポール１４が直接床や壁に固定されるような形態であってもよい。また、Ｘ線ヘッド１１を天井や壁からアーム機構を介して移動自在に配置したり、スタンドポール１４を立設した基台１２の下にキャスターを付けて移動自在とする構成等の従来の口内法Ｘ線撮影装置の構成のいずれも採用することができる。
【００４４】
パノラマＸ線撮影装置２は、図３に示すように、床面に載置されるベース２１と、ベース２１の上面２１ａに植設された支柱２２と、支柱２２に対して上下方向に移動可能に設けられた側面視略逆Ｌ型の昇降本体２４と、昇降本体２４に固定され、昇降本体２４とともに上下に移動する患者フレーム２３と、該昇降本体２４の上部２４ａの底面から旋回可能に吊り下げ支持される略逆Ｕ型の旋回アーム２５とで構成している。
【００４５】
患者フレーム２３には、下方に向かって突出し、患者が握持する２本のハンドル２３ａを底面側に備え、上面側には患者が顎を載せるチンレスト２３ｂを備えている。なお、患者フレーム２３、ハンドル２３ａ、チンレスト２３ｂは、被写体となる患者、具体的には患者の頭部を支持する被写体支持手段として機能する。
【００４６】
昇降本体２４は、図示しない駆動手段によって、撮影する患者の背丈に合わせ、支柱２２に対して上下方向に移動可能に構成している。
【００４７】
旋回アーム２５は、昇降本体２４に吊り下げ支持され、昇降本体２４の上部２４ａの底面に対して、鉛直方向の回転軸を中心として回転可能に構成している。なお、旋回アーム２５は、一方にＸ線発生器２６を装備したＸ線発生部２６Ａが垂下し、他方にＸ線フィルム、ＣＣＤセンサやＭＯＳセンサ、ＣＭＯＳセンサ、その他の固体撮像素子やイメージングプレートを電気的Ｘ線検出器等のＸ線検出器の装着を許容するカセッテホルダー２７を備えたＸ線検出部２７Ａが垂下した略逆Ｕ型の形状となっている。
【００４８】
Ｘ線検出器を電気的Ｘ線検出器で構成する場合は、必ずしもカセッテホルダー２７にＸ線検出器が着脱自在になっている構成でなくとも、電気的Ｘ線検出器をＸ線検出部に固設してよい。
【００４９】
Ｘ線発生部２６ＡとＸ線検出部２７Ａは、患者の頭部を間にして対向できるように配置されている。  
なお、旋回アーム２５の全体の形状は略逆Ｕ型に限らず、逆Ｕ型や逆Ｃ型等の適宜の形状で形成することができる。
【００５０】
このように構成したパノラマＸ線撮影装置２は、略逆Ｕ型の旋回アーム２５の間に患者を立たせ、ハンドル２３ａを握らせるとともに、顎をチンレスト２３ｂに載せた状態の患者の頭部の周りを旋回アーム２５が回転する。
【００５１】
そして、パノラマＸ線撮影装置２は、あらかじめ設定した角度範囲に基づく撮影範囲において、Ｘ線発生器２６からカセッテホルダー２７に向かってＸ線を照射し、患者の頭部における患部をＸ線撮影する。
【００５２】
なお、このパノラマＸ線撮影装置２における撮影条件等の各種設定については、図１に示すように、Ｘ線検出部２７ＡのＸ線発生部２６Ａに対向する側の背後に設けた操作パネル２８によって設定操作を行う。
【００５３】
操作パネル２８の詳細については図示省略するが、Ｘ線発生器２６からＸ線照射する際の管電圧、Ｘ線検出器の選択、患者が大人か子供かの設定、撮影対象部位の種類、旋回アーム２５が回転する平面周方向における撮影範囲等を設定操作する設定操作部を備えている。
【００５４】
Ｘ線室１００内の内側壁１０３に、パノラマＸ線撮影装置２の本体から独立した操作パネル２８ａを設け、設定操作部の一部または全部を操作パネル２８ａに配備してもよい。
【００５５】
続いて、Ｘ線室１００の外側壁１０２に配置したコントローラ３０について、図４とともに説明する。  
制御装置に対応するコントローラ３０の本体は、ひとつのハウジングすなわち制御装置ハウジング３０ｈにおいて上から順に、表示部３１、表示部３１の右隣の微調整ボタン３２、検出器種別選択ボタン３３、管電圧選択ボタン３４、対象患者選択ボタン３５、撮影種別選択ボタン３６、パノラマ選択ボタン３７、状態表示部３８及びエミッションボタン３９を備えている。エミッションボタン３９は、Ｘ線照射を指令操作するためのエミッションスイッチ、つまり照射スイッチである。
【００５６】
情報表示部に対応する表示部３１は、管電圧選択ボタン３４で選択された管電圧を表示する管電圧表示部３１ａと、数値表示部３１ｂと、単位表示部３１ｃとを備えている。  
管電圧選択ボタン３４は、管電圧６０ｋＶと７０ｋＶの選択切換操作を受け付ける構成であり、管電圧選択ボタン３４で選択された管電圧を表示する管電圧表示部３１ａは、図４においては“６０ｋＶ”を表示しているが、管電圧選択ボタン３４で“７０ｋＶ”が選択されると、図５に示すように、“６０ｋＶ”表示の右隣に“７０ｋＶ”表示が出現し、“６０ｋＶ”表示が消える構成である。なお、電流値も可変として、電圧値と同様に表示できるようにしてもよく、あるいは電圧値を固定とし、電流値のみを可変としてもよい。
【００５７】
数値表示部３１ｂは、Ｘ線照射時間やＸ線の照射線量であるグレイ値等を数値で表示することができる。  
単位表示部３１ｃは、数値表示部３１ｂに表示する数値の単位を表示する。図４においては“ｓｅｃ”を表示しているが、これは数値表示部３１ｂに表示する数値が照射時間を表していることを示している。図示の例では秒数を“ｓｅｃ”で表示している。  
これに対し、数値表示部３１ｂがグレイ値を表示する場合は、図５に示すように、“ｓｅｃ”表示の上に“Ｇｙ”表示が出現し、“ｓｅｃ”表示が消える構成である。図示の例ではグレイ値、具体的にはミリグレイの値を“Ｇｙ”で表示している。
【００５８】
なお、操作者に対してより正確に単位を認識させるために、“ｍＧｙ”と表示してもよい。また、ミリグレイの値は、例えば１〜２８０の間で適宜に設定することができる。さらには、あらかじめ設定したデフォルトの値に対して調整可能としてもよいし、設定したＸ線照射時間をに応じた照射線量をデフォルトとし、さらに調整可能に構成してもよい。
【００５９】
なお、表示部３１に、Ｘ線照射前またはＸ線照射後に、Ｘ線の照射線量であるグレイ値や照射時間を表示することにより、Ｘ線照射前またはＸ線撮影後のいずれかに、患者のＸ線被曝線量を確認することができ、安心してＸ線撮影することができる。
【００６０】
もちろん、Ｘ線の照射線量はＸ線撮影中に表示してもよく、Ｘ線撮影前、Ｘ線撮影中、Ｘ線撮影後の少なくともいずれかのタイミングで表示することができ、患者のＸ線被曝線量を確認でき、安心してＸ線撮影することができる。
【００６１】
設定操作部に対応する微調整ボタン３２は、Ｕｐボタン３２ａとＤｏｗｎボタン３２ｂで構成され、数値表示部３１ｂに表示された数値を見ながら、設定数値を微調整するための操作部である。例えば、管電圧選択ボタン３４、対象患者選択ボタン３５及び撮影種別選択ボタン３６によって設定される撮影条件に応じてプリセットされた照射時間が数値表示部３１ｂに表示されるが、数値表示部３１ｂに表示された設定照射時間を、Ｕｐボタン３２ａを押下して長くしたり、Ｄｏｗｎボタン３２ｂを押下して短くすることができる。
【００６２】
設定操作部に対応する検出器種別選択ボタン３３は、口内法Ｘ線撮影装置１において、患者の口腔内にセットし、Ｘ線写真を撮影するＸ線検出器の種別を選択するボタンであり、押下されると、ボタンに示したモニタのアイコン表示またはボタン全体が点灯され、Ｘ線検出器としてＣＣＤセンサやＭＯＳセンサ、ＣＭＯＳセンサ、その他の固体撮像素子またはイメージングプレートを用いたＸ線撮像手段が選択されたことを表示する。これに対し、検出器種別選択ボタン３３のアイコン表示またはボタン全体が消灯している場合は、Ｘ線検出器としてＸ線フィルムが選択されたことを表している。
【００６３】
さらに細かく表示するために、選択したＸ線検出器にしたがって“ＣＣＤ”、“ＭＯＳ”、“フィルム”などの字がボタンに浮き出るように表示してもよいし、これらの別に個別のアイコンを切替表示するようにしてもよい。
【００６４】
設定操作部に対応する管電圧選択ボタン３４は、あらかじめ設定された２種類の管電圧を選択するボタンであり、本実施例では、図４に示すように、“６０ｋＶ”と“７０ｋＶ”とが選択可能に構成している。
【００６５】
設定操作部に対応する対象患者選択ボタン３５は、Ｘ線の照射時間に影響するため、撮影対象である患者が大人か子供かを選択するボタンである。  
設定操作部に対応する撮影種別選択ボタン３６は、７つの選択ボタンで構成している。詳しくは、上段と中段には幅方向にそれぞれ３つのボタンが配置され、下段は幅方向中央に一つのボタンを備え、７つのボタンの配列として全体が逆凸状の配置になっている。図示の例では、撮影種別は撮影対象部位の別によって区別されている。
【００６６】
なお、上段は撮影対象を上顎として設定するボタンが配置され、中段は撮影対象を下顎として設定するボタンが配置されている。  
また、幅方向右側の列は臼歯に対応し、幅方向中央の列は犬歯に対応し、幅方向左側の列は前歯に対応している。そして、下段のボタンは、咬合法と呼ばれるＸ線撮影用のボタンである。
【００６７】
なお、咬合法は“オクルーザル”と呼ばれることもあり、咬合法においては、Ｘ線検出器を被撮影者に咬ませ、なるべく歯の長手軸の軸方向と平行な方向又は咬合面と直交する方向から照射したＸ線を検出する。
【００６８】
各ボタンに記してある“＋５５°”などの数字は、Ｘ線の照射角度を定める際に、なるべく照射Ｘ線を対象歯牙に垂直に入射させるための目安となる、咬合平面に対する照射Ｘ線の傾斜角度を示す。
【００６９】
被撮影者が、撮影対象歯牙における咬合平面が床面に平行となる姿勢をとっているとして、撮影者は、歯列弓の湾曲に対して法線方向からＸ線が入射するようにＸ線ヘッド１１の水平方向の回動角度すなわち咬合平面に垂直な垂直軸の軸周りの回動角度を調整し、Ｘ線ヘッド１１の上下方向の揺動角度すなわち照射筒１９の上下方向の揺動角度については、各ボタンに記した角度を目安にＸ線ヘッド１１の回動軸１６ａｘの軸周りの揺動角度を定める。
【００７０】
なお、回動軸１６ａｘ近傍に図示しない角度ゲージを設けておいて、Ｘ線ヘッド１１が何度傾斜しているか表示するように構成してもよいし、傾斜角度を電気的に検出、表示するように構成してもよい。
【００７１】
Ｘ線撮影装置の選択を切り替えるＸ線撮影切替部に対応するパノラマ選択ボタン３７は、パノラマＸ線撮影装置２でＸ線撮影をする際に押下する面発光スイッチであり、押下されると、パノラマＸ線撮影装置２のアイコン表示が点灯され、Ｘ線撮影するためのＸ線撮影装置としてパノラマＸ線撮影装置２が選択されたことを表示する。これに対し、パノラマ選択ボタン３７のアイコン表示が点灯している場合においてパノラマ選択ボタン３７を押下すると、パノラマＸ線撮影装置２のアイコン表示が消灯され、口内法Ｘ線撮影装置１が選択されていることを表す。
【００７２】
なお、パノラマ選択ボタン３７は、Ｘ線撮影装置の選択によってＸ線撮影の選択又は撮影モードの選択のための操作部として機能するとともに、パノラマ選択ボタン３７は、選択したＸ線撮影装置、選択したＸ線撮影又は選択したＸ線撮影モードを示すＸ線撮影選択状態表示部として機能する表示部を兼ねている。
【００７３】
このように、口内法Ｘ線撮影装置１とパノラマＸ線撮影装置２とを選択操作するパノラマ選択ボタン３７を面発光スイッチで構成し、パノラマ選択ボタン３７自体が点灯と消灯とを切替えるため、パノラマ選択ボタン３７の点灯状況を確認することで、口内法Ｘ線撮影装置１及びパノラマＸ線撮影装置２のうち所望するＸ線撮影装置を、間違えることなく確実に選択することができる。また、図４に示すように、パノラマ選択ボタン３７に表示されたパノラマＸ線撮影装置２をイメージするアイコン表示がパノラマ選択ボタン３７の点灯によって明示できるため、誤操作をより確実に防止することができる。
【００７４】
情報表示部に対応する状態表示部３８は、エミッションボタン３９が操作され、Ｘ線を照射できる準備状態であることを示す撮影準備状態表示部３８ａと、エミッションボタン３９が操作されてＸ線を照射していることを示す照射表示部３８ｂとで構成している。
【００７５】
Ｘ線撮影装置のＸ線照射を操作する照射スイッチに対応するエミッションボタン３９は、撮影準備状態表示部３８ａが点灯する準備状態においてＸ線の照射操作を行うボタンである。なお、エミッションボタン３９は、１回操作で撮影準備処理を行い、２回操作でＸ線照射される。このときの１回操作による撮影準備処理が完了後、上述の撮影準備状態表示部３８ａが点灯する構成である。なお、撮影準備指令を出したにも関わらず撮影準備が整わない場合は、例えば光の点滅等で示すようにしてもよい。
【００７６】
なお、エミッションボタン３９は、ボタンを押下した状態においてＯＮとなり、離すとＯＦＦになるデッドマンスイッチとして構成している。そのため、不用意にＸ線が照射されず、確実にＸ線照射を制御することができる。
【００７７】
このように構成されたコントローラ３０は、パノラマ選択ボタン３７を押下することで、Ｘ線撮影するために口内法Ｘ線撮影装置１かパノラマＸ線撮影装置２を選択することができるが、口内法Ｘ線撮影装置１が選択されたデンタルモードＤでは、コントローラ３０におけるすべての操作表示部（３１〜３９）を使用してＸ線撮影する。これに対し、パノラマＸ線撮影装置２が選択されたパノラマモードＰでは、コントローラ３０におけるパノラマ選択ボタン３７、状態表示部３８及びエミッションボタン３９を使用してＸ線撮影する。
【００７８】
このように、コントローラ３０では、すべての操作表示部（３１〜３９）のうち、パノラマ選択ボタン３７、状態表示部３８、エミッションボタン３９を、両モードで使用する。つまり、パノラマ選択ボタン３７、状態表示部３８、エミッションボタン３９は、両モードの操作において共通に使用され、口内法Ｘ線撮影装置１、パノラマＸ線撮影装置２のいずれに対してもＸ線照射の指令を出す操作を受け付け、またはいずれについても状態を表示する。
【００７９】
したがって、単一のエミッションボタン３９により、口内法Ｘ線撮影装置１、パノラマＸ線撮影装置２のいずれに対してもＸ線照射の指令を出すことができ、さらには口内法Ｘ線撮影装置１、パノラマＸ線撮影装置２のいずれに対しても撮影準備の指令を出すことも可能であり、エミッションボタン３９の数を制御対象であるＸ線撮影装置の数よりも少なく構成することができる。よって、部品点数を低減でき、コスト増加を抑制することができる。
【００８０】
また、すべての操作表示部（３１〜３９）をひとつのコントローラ３０に収容しているため、表示部３１、数値表示部３１ｂの右隣の微調整ボタン３２、検出器種別選択ボタン３３、管電圧選択ボタン３４、対象患者選択ボタン３５、撮影種別選択ボタン３６などを複数のコントローラに分けて配置する場合と比較して、操作性が向上する。
【００８１】
続いて、口内法Ｘ線撮影装置１、パノラマＸ線撮影装置２及びコントローラ３０における回路構成について図６とともに説明する。  
上述したように、口内法Ｘ線撮影装置１及びパノラマＸ線撮影装置２はＸ線室１００内に配置され、コントローラ３０はＸ線室１００内の室外に配置されている。
【００８２】
コントローラ３０は、上述の操作表示部（３１〜３９）以外に、口内法／パノラマ切替回路３０ｂ及びパノラマメイン電源ＯＮ／ＯＦＦ用リレー３０ｃを備えている。なお、操作表示部（３１〜３９）のうち、表示部３１、微調整ボタン３２、検出器種別選択ボタン３３、管電圧選択ボタン３４、対象患者選択ボタン３５、撮影種別選択ボタン３６について副制御部１ａａと信号を送受信する口内法撮影用表示操作部３０ａとする。
【００８３】
また、操作表示部（３１〜３９）及び口内法／パノラマ切替回路３０ｂと、パノラマメイン電源ＯＮ／ＯＦＦ用リレー３０ｃとは異なる基板（Ｄ１，Ｄ２）に載置している、つまりデュアル基板構造で構成し、適宜の間隔を隔てて上下方向に重ねるように配置している。
【００８４】
そして、口内法／パノラマ切替回路３０ｂと、口内法Ｘ線撮影装置１の主制御部１ａ及びパノラマＸ線撮影装置２の主制御部２ａがバスラインＢＬで接続されている。なお、口内法Ｘ線撮影装置１の主制御部１ａはインバータボックス１８に収容され、パノラマＸ線撮影装置２の主制御部２ａはパノラマＸ線撮影装置２の本体や操作パネル２８に収容されている。
【００８５】
まず、パノラマ選択ボタン３７が操作されて口内法Ｘ線撮影装置１が選択されると、口内法撮影用表示操作部３０ａで設定された撮影条件とともに、口内法／パノラマ切替回路３０ｂを口内法Ｘ線撮影装置１側にスイッチし、副制御部１ａａ及びバスラインＢＬを介して口内法Ｘ線撮影装置１の主制御部１ａとの間で信号が送受信される。
【００８６】
そして、エミッションボタン３９が１回押下されると、口内法Ｘ線撮影装置１は撮影準備指令信号を受けて撮影準備処理を行い、準備ができると準備完了信号を送出して撮影準備状態表示部３８ａを点灯制御する。撮影準備状態表示部３８ａの点灯後のエミッションボタン３９の２回目の押下操作によって、口内法Ｘ線撮影装置１はＸ線照射指令信号を受けてＸ線照射するとともに、Ｘ線照射状態伝達信号を送出して照射表示部３８ｂを点灯制御する。なお、撮影準備完了を示すときとＸ線照射を示すときとで発光色を変える、発光パターンを変えるなどしてもよい。
【００８７】
これに対し、パノラマ選択ボタン３７が操作されてパノラマＸ線撮影装置２が選択されると、口内法／パノラマ切替回路３０ｂをパノラマＸ線撮影装置２側にスイッチするとともに、パノラマメイン電源ＯＮ／ＯＦＦ用リレー３０ｃをＯＮに切り替え、バスラインＢＬを介してパノラマＸ線撮影装置２の主制御部２ａとの間で信号が送受信される。また、パノラマ選択ボタン３７を点灯制御する。
【００８８】
そして、エミッションボタン３９が１回押下されると、パノラマＸ線撮影装置２は撮影準備指令信号を受けて撮影準備処理を行い、準備ができると準備完了信号を送出して撮影準備状態表示部３８ａを点灯制御する。撮影準備状態表示部３８ａの点灯後のエミッションボタン３９の２回目の押下操作によって、パノラマＸ線撮影装置２はＸ線照射指令信号を受けて操作パネル２８で設定された撮影条件でＸ線照射するとともに、Ｘ線照射状態伝達信号を送出して照射表示部３８ｂを点灯制御する。
【００８９】
エミッションボタン３９は、口内法Ｘ線撮影装置１選択時に１回目の操作で撮影準備指令の発信操作に用いられるので、口内法Ｘ線撮影装置１への指令用の撮影準備指令スイッチ３９Ａ２であるとともに、２回目の操作でＸ線照射指令の発信操作に用いられるので、口内法Ｘ線撮影装置１への指令用の照射スイッチ３９Ａ１である。
【００９０】
エミッションボタン３９は、パノラマＸ線撮影装置２選択時に１回目の操作で撮影準備指令の発信操作に用いられるので、パノラマＸ線撮影装置２への指令用の撮影準備指令スイッチ３９Ｂ２であるとともに、２回目の操作でＸ線照射指令の発信操作に用いられるので、パノラマＸ線撮影装置１への指令用の照射スイッチ３９Ｂ１である。
【００９１】
エミッションボタン３９は、口内法Ｘ線撮影装置１とパノラマＸ線撮影装置２とで共用されており、口内法／パノラマ切替回路３０ｂによる口内法Ｘ線撮影装置１の選択によって、口内法Ｘ線撮影装置１の回路に属する照射スイッチ３９Ａ１、撮影準備指令スイッチ３９Ａ２となり、口内法／パノラマ切替回路３０ｂによるパノラマＸ線撮影装置２の選択によって、パノラマＸ線撮影装置２の回路に属する照射スイッチ３９Ｂ１、撮影準備指令スイッチ３９Ｂ２となる。
【００９２】
パノラマ選択ボタン３７は、口内法Ｘ線撮影装置１とパノラマＸ線撮影装置２とで共用され、点灯によってパノラマＸ線撮影装置２が選択されたことを、消灯によって口内法Ｘ線撮影装置１が選択されたことを表示する。
【００９３】
Ｘ線撮影装置の選択状態、Ｘ線撮影の選択状態又は選択Ｘ線撮影モードを示すためのＸ線撮影選択状態表示部３７１として機能するパノラマ選択ボタン３７の構成としては、口内法Ｘ線撮影装置１が選択されたときに消灯で示してもよいのであるが、口内法Ｘ線撮影装置１が選択されたときに、その選択状態を点灯で示すようにして、パノラマＸ線撮影装置２の選択時と口内法Ｘ線撮影装置１の選択時とで表示を変えるようにしてもよい。
【００９４】
この場合、パノラマ選択ボタン３７は、口内法Ｘ線撮影装置１の回路に属するＸ線撮影選択状態表示部３７Ａと、パノラマＸ線撮影装置２の回路に属するＸ線撮影選択状態表示部３７Ｂからなる。
【００９５】
同様に、撮影準備状態表示部３８ａは、口内法Ｘ線撮影装置１の回路に属する撮影準備状態表示部３８ａＡ、パノラマＸ線撮影装置２の回路に属する撮影準備状態表示部３８ａＢからなる。
【００９６】
同様に、照射表示部３８ｂは、口内法Ｘ線撮影装置１の回路に属する照射表示部３８ｂＡと、パノラマＸ線撮影装置２の回路に属する照射表示部３８ｂＢからなる。
【００９７】
口内法Ｘ線撮影装置１が選択されたときにその選択状態を点灯で示すようにした場合のパノラマ選択ボタン３７、撮影準備状態表示部３８ａ、照射表示部３８ｂの機械的構成例としては、次のようなものが考えられる。
【００９８】
図４、図５のように、制御装置ハウジング３０ｈの表面に配置したパノラマ選択ボタン３７、撮影準備状態表示部３８ａ、照射表示部３８ｂをメンブレンスイッチで構成する。
【００９９】
表層であるメンブレン材の裏面に図示しない面発光部材の表面を対向配置する。  
面発光部材の裏面に図示しない複数の可視光光源を対向配置する。この複数の可視光光源を面発光光源とする。
【０１００】
複数の面発光光源の一方は口内法Ｘ線撮影装置１の回路側に属し、他方はパノラマＸ線撮影装置２の回路側に属するようにする。  
口内法／パノラマ切替回路３０ｂにより、口内法Ｘ線撮影装置１が選択された状態では口内法Ｘ線撮影装置１の回路側の面発光光源が点灯し、パノラマＸ線撮影装置２が選択された状態ではパノラマＸ線撮影装置１の回路側の面発光光源が点灯する。
【０１０１】
メンブレン材は前述の図柄部分など、可視光を透過する部分を有するので、面発光光源からの可視光は、面発光部材を通してメンブレン材に達し、メンブレン材の可視光を透過する部分から外部に発光され、操作者に認識できるようになっている。
【０１０２】
面発光部材としては、側面からの光を前方に向けて発光するタイプのものを用いてもよい。この場合、当該面発光部材の側面に前記口内法Ｘ線撮影装置１の回路用と前記パノラマＸ線撮影装置２の回路用の各々の可視光光源を対向配置する。可視光光源からの可視光を面発光部材の側面に照射すると、面発光部材は側面からの可視光を当該面発光部材前方からメンブレン材の裏面に向けて照射する。
【０１０３】
いずれにしても、前述のとおり、口内法Ｘ線撮影装置１の回路とパノラマＸ線撮影装置１の回路は絶縁されているので、外見は同じ表示部でありながら、口内法Ｘ線撮影装置１の回路側に属する光源とパノラマＸ線撮影装置２の回路側に属する光源とで絶縁状態を確保することができる。
【０１０４】
口内法Ｘ線撮影装置１の回路とパノラマＸ線撮影装置２の回路の少なくとも一方において、エミッションボタン３９の１回押下によって撮影準備がなされ、Ｘ線照射が行われるようにしてもよい。
【０１０５】
また、口内法Ｘ線撮影装置１はパノラマＸ線撮影装置２のように旋回アーム２５が旋回開始位置に無い場合に旋回アームを撮影開始位置に来させる必要はないので、口内法Ｘ線撮影装置１の回路については撮影準備指令信号の発信がなくともエミッションボタン３９の１回押下によって直接Ｘ線照射指令信号の発信が行われるようにしてもよい。
【０１０６】
このように、図６において状態表示部３８及びエミッションボタン３９は口内法Ｘ線撮影装置１とパノラマＸ線撮影装置２とで共用するとともに、パノラマ選択ボタン３７で状態表示部３８及びエミッションボタン３９の機能を切り替えているが、口内法Ｘ線撮影装置１の回路とパノラマＸ線撮影装置２の回路とは、回路構成上絶縁されており、図示においては仮想の絶縁ラインＺＬで絶縁されている。また、口内法Ｘ線撮影装置１が選択された状態では、パノラマメイン電源ＯＮ／ＯＦＦ用リレー３０ｃによって、パノラマＸ線撮影装置２はメイン電源がＯＦＦに制御されている。
【０１０７】
したがって、ショート等の電気回路的不具合により、選択されていないＸ線撮影装置が誤作動することを防止できる。詳しくは、コントローラ３０におけるショート等の電気回路的不具合が生じた場合においても、口内法Ｘ線撮影装置１の電気回路と、パノラマＸ線撮影装置２の電気回路とが、仮想の絶縁ラインＺＬで絶縁されているため、例えば、選択されたパノラマＸ線撮影装置２に対するＸ線照射操作によって、口内法Ｘ線撮影装置１が意図せず、Ｘ線照射することを確実に防止することができる。
【０１０８】
パノラマ選択ボタン３７も各モードにおいて他のモードへの切替に用いられるので、その意味で口内法Ｘ線撮影装置１とパノラマＸ線撮影装置２とで共用されている。
【０１０９】
また、操作表示部（３１〜３９）及び口内法／パノラマ切替回路３０ｂと、パノラマメイン電源ＯＮ／ＯＦＦ用リレー３０ｃとは異なる基板（Ｄ１，Ｄ２）に載置するデュアル基板構造で構成しているため、口内法Ｘ線撮影装置１の電気回路と、パノラマＸ線撮影装置２の電気回路とを電気的に絶縁することができる。
【０１１０】
さらには、それぞれの基板（Ｄ１，Ｄ２）を、適宜の間隔を隔てて上下方向に重ねるように配置しているため、ひとつの基板に両電気回路を配置する場合と比較して、絶縁性を向上するとともに、省スペース化を図ることができる。
【０１１１】
パノラマ選択ボタン３７と口内法／パノラマ切替回路３０ｂは、口内法Ｘ線撮影装置１の回路とパノラマＸ線撮影装置２の回路のいずれを選択するかを切替するものであり、どちらにも属さない要素であり、両回路と絶縁関係にあると考えてよいので、このことを図示において仮想の絶縁ラインＡＬで示す。ただし、観念的理解を促すため、両回路のいずれかに切替えるという口内法／パノラマ切替回路３０ｂの機能的側面に注目し、口内法Ｘ線撮影装置１が選択された場合を想定して口内法／パノラマ切替回路３０ｂの一部が口内法Ｘ線撮影装置１の回路側にあるように、また、パノラマＸ線撮影装置２が選択された場合を想定して別の一部がパノラマＸ線撮影装置２の回路側にあるように図示する。
【０１１２】
なお、上述の説明では、エミッションボタン３９の押下操作によってＸ線照射制御する構成であったが、エミッションボタン３９に加えてグリップタイプのデッドマンスイッチ４０を別付けで接続し、エミッションボタン３９とデッドマンスイッチ４０のうち先に押下した方を優先する構成であってもよい。
【０１１３】
また、口内法Ｘ線撮影装置１及びパノラマＸ線撮影装置２の回路上にブザー（４１，４２）を設け、口内法Ｘ線撮影装置１あるいはパノラマＸ線撮影装置２の稼働時やトラブル発生時にブザーを鳴らす構成であってもよい。
【０１１４】
また、パノラマＸ線撮影装置２の主制御部２ａと、口内法撮影用表示操作部３０ａの表示部３１とを接続し、口内法撮影用表示操作部３０ａのうち表示部３１に、パノラマＸ線撮影装置２の操作パネル２８で設定された撮影条件や、Ｘ線撮影後に、パノラマＸ線撮影装置２におけるＸ線の照射時間やグレイ値を表示してもよい。
【０１１５】
さらにまた、Ｘ線撮影後の照射時間やグレイ値を表示する場合において、Ｘ線撮影後にＸ線の照射時間とグレイ値とを所定時間ずつ切り替えて自動的に表示してもよいし、例えば、グレイ値を表示させるための表示スイッチを設け、デフォルトでは照射時間を表示し、表示スイッチを操作する間グレイ値を表示させる構成であってもよい。もちろん、グレイ値の表示をデフォルトとして、スイッチ操作で照射時間を表示させてもよい。
【０１１６】
ここで、図７を用いて口内法／パノラマ切替回路３０ｂによる口内法Ｘ線撮影装置１の回路とパノラマＸ線撮影装置２の回路の切替構成の例を示す。  
口内法Ｘ線撮影装置１側の回路を回路ＤＮＣとし、パノラマＸ線撮影装置２側の回路を回路ＰＮＣとする。
【０１１７】
口内法／パノラマ切替回路３０ｂにより、リレーＲＬ１が作動し、回路ＤＮＣと回路ＰＮＣの一方が作動、通電又は活性化し、他方が停止、遮断又は非活性化する。
【０１１８】
リレーＲＬ１が回路ＤＮＣを閉じれば口内法Ｘ線撮影装置１側の回路ＤＮＣが通電し、回路ＰＮＣを閉じればパノラマＸ線撮影装置１側の回路ＰＮＣが通電する。
【０１１９】
図７（ａ）はリレーＲＬ１が口内法Ｘ線撮影装置１側の回路ＤＮＣを閉じ、パノラマＸ線撮影装置１側の回路ＰＮＣを開いた状態を示している。  
エミッションボタン３９は口内法Ｘ線撮影装置１に対して指令をするための照射スイッチ３９Ａ１、撮影準備指令スイッチ３９Ａ２となる。
【０１２０】
図７（ｂ）はリレーＲＬ１が口内法Ｘ線撮影装置１側の回路ＤＮＣを開き、パノラマＸ線撮影装置１側の回路ＰＮＣを閉じた状態を示している。  
エミッションボタン３９はパノラマＸ線撮影装置２に対して指令をするための照射スイッチ３９Ｂ１、撮影準備指令スイッチ３９Ｂ２となる。
【０１２１】
以上、この発明の構成と前述の実施形態との対応において、
この発明の制御装置は、コントローラ３０に対応し、
以下同様に、
歯科用異種Ｘ線撮影装置は、パノラマＸ線撮影装置２に対応し、
情報表示部は、表示部３１、状態表示部３８、撮影準備状態表示部３８ａあるいは照射表示部３８ｂに対応し、
設定操作部は、微調整ボタン３２，検出器種別選択ボタン３３，管電圧選択ボタン３４，対象患者選択ボタン３５，及び撮影種別選択ボタン３６に対応し、
Ｘ線撮影切替部は、パノラマ選択ボタン３７に対応し、
照射スイッチは、エミッションボタン３９に対応し、
Ｘ線の照射線量は、グレイ値や照射時間に対応するも、
この発明は、前述の実施形態に限定されるものではない。
【０１２２】
例えば、本実施形態では、口内法Ｘ線撮影装置１と歯科用異種Ｘ線撮影装置の併設例として、口内法Ｘ線撮影装置１とパノラマＸ線撮影装置２とを併設してコントローラ３０で制御する例について述べたが、口内法Ｘ線撮影装置１と歯科用異種Ｘ線撮影装置の組合せの例は様々に考えることができる。
【０１２３】
ここで、口内法Ｘ線撮影を行う機能を口内法Ｘ線撮影機能と呼び、口内法Ｘ線撮影と種類の異なる歯科の撮影を歯科用異種Ｘ線撮影と呼び、歯科用異種Ｘ線撮影を行う機能を歯科用異種Ｘ線撮影機能と呼び、少なくとも口内法Ｘ線撮影機能を有し、他のＸ線撮影装置と組合わされるＸ線撮影装置を本Ｘ線撮影装置と呼ぶこととして、以下のように例示する。
【０１２４】
１つの組合せ例として、口内法Ｘ線撮影装置と、別体の歯科用異種Ｘ線撮影装置を１台のコントローラ３０で制御できる。  
口内法Ｘ線撮影装置は単数でも複数でもよいし、歯科用異種Ｘ線撮影装置の有する歯科用異種Ｘ線撮影機能は単数でも複数でもよい。別体の歯科用異種Ｘ線撮影装置は単数でも複数でもよい。
【０１２５】
別の組合せ例として、口内法Ｘ線撮影装置と歯科用異種Ｘ線撮影装置が１体の装置に組み込まれたＸ線撮影装置を１台のコントローラ３０で制御できる。  
歯科用異種Ｘ線撮影装置の有する歯科用異種Ｘ線撮影機能は、単数でも複数であってもよい。
【０１２６】
別の組合せ例として、口内法Ｘ線撮影装置と歯科用異種Ｘ線撮影装置が１体の装置に組み込まれたＸ線撮影装置と、別体の他のＸ線撮影装置を１台のコントローラ３０で制御できる。  
他のＸ線撮影装置は、他の口内法Ｘ線撮影機能を有するＸ線撮影装置でも、歯科用異種Ｘ線撮影機能を有するＸ線撮影装置であっても、口内法Ｘ線撮影機能と歯科用異種Ｘ線撮影機能を共に有するＸ線撮影装置であっても、いずれでも構わない。
【０１２７】
本Ｘ線撮影装置も、他のＸ線撮影装置も単数であっても複数であってもよい。  
本Ｘ線撮影装置、他のＸ線撮影装置の有する歯科用異種Ｘ線撮影機能は、単数でも複数であってもよい。
【０１２８】
１つのＸ線撮影装置が複数のＸ線撮影機能を組み合わせて備える場合、そのＸ線撮影装置は複合Ｘ線撮影装置である。
【０１２９】
本Ｘ線撮影装置と別体の他のＸ線撮影装置を１台のコントローラ３０で制御する場合、双方のＸ線撮影装置それぞれに個別のコントローラを設ける必要がなく、１箇所で集中制御できるという利点が大きい。
【０１３０】
以上より、詳述した口内法Ｘ線撮影装置１とパノラマＸ線撮影装置２を１台のコントローラ３０で制御する例のみならず、口内法Ｘ線撮影装置１とＸ線ＣＴ撮影装置、口内法Ｘ線撮影装置１とセファロＸ線撮影装置、口内法Ｘ線撮影装置１と断層撮影装置、及び口内法Ｘ線撮影装置１とこれらの機能を組み合わせた複合Ｘ線撮影装置を用いてもよい。
【０１３１】
したがって、口内法Ｘ線撮影装置１と、パノラマＸ線機能とＣＴ撮影機能を備えたパノラマＣＴ兼用の歯科用異種Ｘ線撮影装置２とを１台の１台のコントローラ３０で制御するようにできる。
【０１３２】
また、本実施形態では、口内法Ｘ線撮影装置１とパノラマＸ線撮影装置２との２台のＸ線撮影装置を併設してコントローラ３０で制御したが、例えば口内法Ｘ線撮影装置を含むその他の上記記載のＸ線撮影装置を加えて併設しても良いし、口内法Ｘ線撮影装置を含む３台以上のＸ線撮影装置を１台のコントローラ３０で制御する構成であってもよい。
【符号の説明】
【０１３３】
１…口内法Ｘ線撮影装置
２…パノラマＸ線撮影装置（歯科用異種Ｘ線撮影装置）
３０…コントローラ（制御装置）
３０ｈ…制御装置ハウジング
３１…表示部（情報表示部）
３２…微調整ボタン（設定操作部）
３３…検出器種別選択ボタン（設定操作部）
３４…管電圧選択ボタン（設定操作部）
３５…対象患者選択ボタン（設定操作部）
３６…撮影種別選択ボタン（設定操作部）
３７…パノラマ選択ボタン（Ｘ線撮影切替部）
３８…状態表示部（情報表示部）
３８ａ…撮影準備状態表示部（情報表示部）
３８ｂ…照射表示部（情報表示部）
３９…エミッションボタン（照射スイッチ）
４０…デッドマンスイッチ（照射スイッチ）
【図１】
0005881967.tif 000002
【図２】
0005881967.tif 000003
【図３】
0005881967.tif 000004
【図４】
0005881967.tif 000005
【図５】
0005881967.tif 000006
【図６】
0005881967.tif 000007
【図７】
0005881967.tif 000008